(57)【特許請求の範囲】
【請求項１】
入力された売上データを処理する売上データ処理装置において、
当該売上データ処理装置で売上データの入力が許可されるユーザを登録する登録手段と、
少なくとも前記登録手段により登録されたユーザを対象にして勤怠データの入力を受け付ける入力手段と、
第１の表示領域に複数のユーザを一覧表示させるとともに、前記第１の表示領域に表示されている複数のユーザのなかから選択されたユーザに対する所定期間分の勤怠データを、レシート用紙またはジャーナル用紙への印刷イメージで第２の表示領域に表示させる表示制御手段と、
を備えることを特徴とする売上データ処理装置。
【請求項２】
前記表示制御手段は、前記第２の表示領域に表示させている勤怠データを当該勤怠データに対応するユーザの識別情報ともにレシート用紙またはジャーナル用紙に印刷させるための印刷ボタンを前記第１の表示領域よりも前記第２の表示領域に近い位置に表示させる、
ことを特徴とする請求項１に記載の売上データ処理装置。
【請求項３】
前記表示制御手段は、ロール状に巻かれることで長尺に形成されたレシート用紙またはジャーナル用紙に対応するように、勤怠データを１レコード毎に改行して表示させる、
ことを特徴とする請求項１又は２に記載の売上データ処理装置。
【請求項４】
勤怠データを管理するサーバ装置と通信ネットワークを介して通信する通信手段を備え、
前記通信手段は、
前記入力手段により入力を受け付けた勤怠データを所定のタイミングで前記サーバ装置に送信するとともに、前記表示制御手段が前記勤怠データを前記第２の表示領域に表示させる際には前記サーバ装置から前記勤怠データを受信する、
ことを特徴とする請求項１から３のいずれか一項に記載の売上データ処理装置。
【請求項５】
請求項４に記載の売上データ処理装置が複数接続されるサーバ装置において、
複数の売上データ処理装置のそれぞれからユーザの勤怠データを取得する取得手段と、
前記取得手段により取得された勤怠データをユーザ毎にマージさせるデータ処理手段と、
勤怠データの送信要求に基づいて、前記データ処理手段によりマージされた勤怠データを前記送信要求の元になっている前記売上データ処理装置に送信する送信手段と、
を備えることを特徴とするサーバ装置。
【請求項６】
入力された売上データを処理する売上データ処理装置のコンピュータを、
当該売上データ処理装置で売上データの入力が許可されるユーザを登録する登録手段、
少なくとも前記登録手段により登録されたユーザを対象にして勤怠データの入力を受け付ける入力手段、
第１の表示領域に複数のユーザを一覧表示させるとともに、前記第１の表示領域に表示されている複数のユーザのなかから選択されたユーザに対する所定期間分の勤怠データを、レシート用紙またはジャーナル用紙への印刷イメージで第２の表示領域に表示させる表示制御手段、
として機能させることを特徴とするプログラム。
【発明の詳細な説明】
【技術分野】
【０００１】
本発明は、売上データ処理装置、サーバ装置、及びプログラムに関する。
【背景技術】
【０００２】
従来、物販店、飲食店等の各種店舗に設置される店舗の売上データを処理するＥＣＲ（Electronic Cash Register：電子式金銭登録機）等の売上データ処理装置が普及している。
また、かかる装置を利用して、従業員の入場時間や退場時間をレシート用紙に印字する技術が提案されている（例えば、特許文献１参照）。
【先行技術文献】
【特許文献】
【０００３】
【特許文献１】特開平０６−１３１５６６号公報
【発明の概要】
【発明が解決しようとする課題】
【０００４】
しかしながら、上記特許文献１に記載の技術は、入場、退場のたびに印刷するものであり、個々の従業員の勤怠データの管理は、別途、パーソナルコンピュータにより行っていたため、勤怠データの管理に手間が掛かるものであった。
【０００５】
本発明の課題は、売上データ処理装置を用いて従業員の勤怠データを管理することである。
【課題を解決するための手段】
【０００６】
上記課題を解決するため、本発明に係る売上データ処理装置は、入力された売上データを処理する売上データ処理装置において、当該売上データ処理装置で売上データの入力が許可されるユーザを登録する登録手段と、少なくとも前記登録手段により登録されたユーザを対象にして勤怠データの入力を受け付ける入力手段と、第１の表示領域に複数のユーザを一覧表示させるとともに、前記第１の表示領域に表示されている複数のユーザのなかから選択されたユーザに対する所定期間分の勤怠データを、レシート用紙またはジャーナル用紙への印刷イメージで第２の表示領域に表示させる表示制御手段と、を備えることを特徴とする。
【０００７】
また、本発明に係るプログラムは、入力された売上データを処理する売上データ処理装置のコンピュータを、当該売上データ処理装置で売上データの入力が許可されるユーザを登録する登録手段、少なくとも前記登録手段により登録されたユーザを対象にして勤怠データの入力を受け付ける入力手段、第１の表示領域に複数のユーザを一覧表示させるとともに、前記第１の表示領域に表示されている複数のユーザのなかから選択されたユーザに対する所定期間分の勤怠データを、レシート用紙またはジャーナル用紙への印刷イメージで第２の表示領域に表示させる表示制御手段、として機能させることを特徴とする。
【発明の効果】
【０００８】
本発明によれば、売上データ処理装置を用いて従業員の勤怠データを管理することができる。
【図面の簡単な説明】
【０００９】
【図１】本実施の形態における勤怠管理システムの構成を示すブロック図である。
【図２】サーバ装置の機能構成を示すブロック図である。
【図３】サーバ装置に記憶されたユーザテーブルの一例を示す図である。
【図４】サーバ装置に記憶された勤怠データテーブルの一例である。
【図５】レジ装置の機能構成を示すブロック図である。
【図６】レジ装置に記憶されたユーザテーブルの一例を示す図である。
【図７】レジ装置に記憶された勤怠データテーブルの一例である。
【図８】勤怠登録画面を示す一例である。
【図９】他の態様の勤怠登録画面を示す一例である。
【図１０】タイムカード出力画面を示す一例である。
【図１１】出力されたタイムカードを示す一例である。
【発明を実施するための形態】
【００１０】
以下、図面を参照して本発明の実施の形態について説明する。なお、本発明は、図示例に限定されるものではない。
【００１１】
［勤怠管理システムの構成］
先ず、本実施の形態の勤怠管理システム１００の全体構成について説明する。
図１は、勤怠管理システム１００の構成を示すブロック図である。
勤怠管理システム１００は、サーバ装置１０と、一乃至複数のレジ装置２０と、を備える。サーバ装置１０とレジ装置２０とは、通信ネットワークＮを介して接続されている。
【００１２】
サーバ装置１０は、接続されているレジ装置２０から定期的に送信されるデータ（勤怠データ等）を管理する機能を有する装置である。
レジ装置２０は、例えば、個人商店、小売店、食堂等に設けられるＥＣＲ（Electronic Cash Register）等の売上データ処理装置である。
通信ネットワークＮは、インターネットであるものとし、無線、専用線、ＬＡＮ（Local Area Network）等を含んでもよい。
【００１３】
次に、サーバ装置１０の機能的構成について詳細に説明する。
図２は、サーバ装置１０の機能構成を示すブロック図である。
サーバ装置１０は、登録手段、取得手段、データ処理手段、送信手段としてのＣＰＵ（Central Processing Unit）１１と、ＲＡＭ（Random Access Memory）１２と、記憶部１３と、表示部１４と、操作部１５と、通信部１６と、を備える。サーバ装置１０の各部は、バス１７を介して接続されている。
【００１４】
ＣＰＵ１１は、サーバ装置１０の各部を制御する。ＣＰＵ１１は、記憶部１３に記憶されているシステムプログラム及びアプリケーションプログラムのうち、指定されたプログラムを読み出してＲＡＭ１２に展開し、ＲＡＭ１２に展開されたプログラムとの協働で、各種処理を実行する。
【００１５】
例えば、ＣＰＵ１１は、取得プログラム１３１に従い、接続されているレジ装置２０からユーザの勤怠データを取得する。
また、ＣＰＵ１１は、データ処理プログラム１３２に従い、取得された勤怠データをユーザ毎にマージさせる。例えば、一のレジ装置２０からあるユーザの出勤データが送信され、他のレジ装置２０から同一のユーザの退勤データが送信されてきた場合、二つのレジ装置２０から送信されてきた出勤データ及び退勤データを、そのユーザの勤怠データとして一括して管理する。
また、ＣＰＵ１１は、送信プログラム１３３に従い、レジ装置２０からの勤怠データの送信要求に基づいて、マージされたユーザの勤怠データを送信する。
【００１６】
ＲＡＭ１２は、情報を一時的に記憶する揮発性の半導体メモリであり、各種データ及びプログラムを格納するワークエリアを有する。
【００１７】
記憶部１３は、ＨＤＤ（Hard Disk Drive）等により構成され、各種データ及び各種プログラムを読み出し及び書き込み可能に記憶する。
記憶部１３には、例えば、取得プログラム１３１と、データ処理プログラム１３２と、送信プログラム１３３と、ユーザテーブル１３４と、勤怠データテーブル１３５と、が記憶されている。
【００１８】
図３は、ユーザテーブル１３４の一例を示す図である。
ユーザテーブル１３４は、接続されているレジ装置２０を使用するユーザを管理するテーブルである。
なお、ユーザテーブル１３４で管理するユーザとは、レジ装置２０で売上データの入力が許可されるユーザのことを意味する。
図３に示すように、ユーザテーブル１３４は、「レジコード」と、「ユーザコード」と、「ユーザ名」と、を対応づけて記憶している。
「レジコード」は、ユーザ情報（ユーザコード及びユーザ名）を送信してきたレジ装置２０の固有番号である。
「ユーザコード」は、各レジ装置２０で登録されるユーザ固有の識別コードである。
「ユーザ名」は、ユーザコードを使用するユーザの名称である。
ユーザテーブル１３４は、複数のレジ装置２０の各々で登録されたユーザ情報を一括で管理するものであって、接続されているレジ装置２０においてユーザの登録や削除が行われると、そのレジ装置２０から更新後のユーザ情報が通知され、ユーザテーブル１３４の内容が更新される。
図３では、「レジコード：ＸＸＸ」のレジ装置２０から、３つのユーザ情報が送信され、「レジコード：ＹＹＹ」のレジ装置２０から、２つのユーザ情報が送信され、「レジコード：ＺＺＺ」のレジ装置２０から、１つのユーザ情報が送信され、これらが一括管理されている状態を例示している。
【００１９】
図４は、勤怠データテーブル１３５の一例を示す図である。
勤怠データテーブル１３５は、接続されているレジ装置２０から送信されてきた勤怠データを一括して記憶、管理するテーブルである。
図４に示すように、勤怠データテーブル１３５は、レジコード、ユーザ情報（ユーザコード及びユーザ名）毎に、日付、時刻、勤怠動作（出勤時間、退勤時間、休憩開始時間、休憩終了時間）が記憶されている。
勤怠データテーブル１３５は、複数のレジ装置２０の各々で登録された勤怠データを一括で管理するものであって、接続されているレジ装置２０から定期的に勤怠データが通知され、勤怠データテーブル１３５の内容が更新される。
【００２０】
表示部１４は、ＬＣＤ（Liquid Crystal Display）等により構成され、ＣＰＵ１１から入力される表示情報に応じて各種表示を行う。
【００２１】
操作部１５は、各種キー操作入力を受け付けるキーボードと、マウス等のポインティングデバイスと、を含む構成である。操作部１５は、キーボードに対するキー操作やマウス操作により入力された操作信号をＣＰＵ１１に出力する。
【００２２】
通信部１６は、ネットワークカード等で構成され、サーバ装置１０と、通信ネットワークＮとの間の通信の制御を行う。通信部１６により、サーバ装置１０は、通信ネットワークＮ上のレジ装置２０と通信が可能となる。
【００２３】
次に、レジ装置２０の機能的構成について詳細に説明する。
図５は、レジ装置２０の機能構成を示すブロック図である。
レジ装置２０は、表示制御手段としてのＣＰＵ２１と、ＲＡＭ２２と、テーブル記憶部２３と、プログラム記憶部２４と、表示手段としての表示部２５と、入力手段としての操作部２６と、印刷手段としての印刷部２７と、ドロア部２８と、通信手段としての通信部２９と、計時部３０と、を備えている。レジ装置２０の各部は、バス３１を介して接続されている。
【００２４】
ＣＰＵ２１は、レジ装置２０の各部を制御する。ＣＰＵ２１は、プログラム記憶部２４に記憶されているシステムプログラム及びアプリケーションプログラムのうち、指定されたプログラムを読み出してＲＡＭ２２に展開し、ＲＡＭ２２に展開されたプログラムとの協働で、各種処理を実行する。
【００２５】
例えば、ＣＰＵ２１は、表示制御プログラム２４１に従い、タイムカード出力画面Ｇ３（図１０参照）を表示部２５に表示させる。
また、ＣＰＵ２１は、印刷プログラム２４２に従い、ユーザの所定期間分の勤怠データを当該ユーザの識別情報ともに、レシート用紙にタイムカード（図１１参照）として印刷する。
また、ＣＰＵ２１は、通信プログラム２４３に従い、入力された勤怠データを所定のタイミングでサーバ装置１０に送信するとともに、サーバ装置１０からユーザの勤怠データを受信する。
【００２６】
ＲＡＭ２２は、情報を一時的に記憶する揮発性の半導体メモリであり、各種データ及びプログラムを格納するワークエリアを有する。
【００２７】
テーブル記憶部２３は、情報の読み出し及び書き込みが可能な記憶部であり、例えば、フラッシュメモリ、ＥＥＰＲＯＭ（Electrically Erasable Programmable Read Only Memory）等から構成されている。テーブル記憶部２３には、ユーザテーブル２３１、勤怠データテーブル２３２が記憶されている。
【００２８】
図６は、ユーザテーブル２３１の一例を示す図である。
ユーザテーブル２３１は、レジ装置２０を使用するユーザを管理するテーブルである。
図６に示すように、ユーザテーブル２３１は、各ユーザ固有の「ユーザコード」と、ユーザの名称である「ユーザ名」と、を対応付けたユーザ情報を記憶している。
ユーザの入れ替わりに伴って、図示しない登録画面を用いてユーザの登録や削除が行われると、ユーザテーブル２３１の内容が更新される。
また、ユーザテーブル２３１の内容が更新されると、その更新されたユーザ情報がサーバ装置１０に対して送信される。
【００２９】
図７は、勤怠データテーブル２３２の一例である。
勤怠データテーブル２３２は、レジ装置２０を使用するユーザごとの勤怠データを記憶、管理するテーブルである。
図７に示すように、勤怠データテーブル２３２は、ユーザコード、ユーザ名、日付、時刻、勤怠動作（出勤時間、退勤時間、休憩開始時間、休憩終了時間）が記憶されている。
後述する勤怠登録画面Ｇ１（図８参照）を用いてユーザの勤怠データ（時刻及び勤怠動作）の登録が行われると、勤怠データテーブル２３２の内容が更新される。
【００３０】
プログラム記憶部２４は、情報の読み出し専用の記憶部であり、例えば、ＲＯＭ（Read Only Memory）等から構成されている。プログラム記憶部２４には、表示制御プログラム２４１、印刷プログラム２４２と、通信プログラム２４３と、が記憶されている。
【００３１】
表示部２５は、例えば、ＬＣＤ（Liquid Crystal Display）や有機ＥＬ（Electro-Luminescence）ディスプレイ等から構成されている。また、表示部２５には、ＣＰＵ２１から出力されて入力される表示信号の指示に従って、各種画面（勤怠登録画面Ｇ１、タイムカード出力画面Ｇ３等）を表示する。
【００３２】
操作部２６は、レジ装置２０の所定操作を行うためのものである。
操作部２６は、レジ装置２０を操作するユーザの接触操作を受け付けるタッチパネル２６１を備えている。タッチパネル２６１は、表示部２５と一体となって形成され、例えば、静電容量方式、抵抗膜方式、超音波表面弾性波方式等の各種方式により、ユーザによる表示部２５上の接触位置のＸＹ座標を検出し、その位置信号をＣＰＵ２１に出力する。
【００３３】
印刷部２７は、例えば、サーマルプリンタ（感熱式プリンタ）等から構成され、ＣＰＵ１から出力されて入力される指示信号に従って、レシート用紙、ジャーナル用のロール紙（感熱紙）に対して、勤怠データに基づくタイムカード、金額、売上データ等をプリントアウトする。
【００３４】
ドロア部２８は、硬貨や紙幣等の現金を収納する引き出し等から構成され、ＣＰＵ１から出力されて入力される指示信号に従って、引き出しを開放する。なお、開放された引き出しは、ユーザにより手動で閉められる。
【００３５】
通信部２９は、ネットワークカード等で構成され、レジ装置２０と、通信ネットワークＮとの間の通信の制御を行う。通信部２９により、レジ装置２０は、通信ネットワークＮ上のサーバ装置１０と通信が可能となる。
【００３６】
計時部３０は、ＲＴＣ（Real Time Clock）等の計時回路を内蔵し、現在時刻及び現在日付を計時してＣＰＵ２１に出力する。
【００３７】
［タイムカードの出力方法］
次に、勤怠管理システム１００における、タイムカードの出力方法について説明する。
先ず、ユーザは、出勤時、退勤時、休憩開始時、又は休憩終了時に、表示部２５に勤怠登録画面Ｇ１を表示させ、これを用いて自らの勤怠データをレジ装置２０に登録する。
【００３８】
図８は、ユーザが自らの勤怠データをレジ装置２０に登録するための勤怠登録画面Ｇ１を示す一例である。
図８に示すように、勤怠登録画面Ｇ１には、日時表示部Ｇ１１と、コード入力部Ｇ１２と、ボタン表示部Ｇ１３と、が備えられている。
日時表示部Ｇ１１には、現在時刻及び現在日付が表示される。
コード入力部Ｇ１２には、ユーザコードを入力するためのキー群と、入力された数字が表示される表示欄が備えられている。
ボタン表示部Ｇ１３には、出勤ボタン、退勤ボタン、休憩開始ボタン、休憩終了ボタンが備えられている。
勤怠登録画面Ｇ１においては、ユーザが、出勤時、退勤時、休憩開始時、又は休憩終了時に、コード入力部Ｇ１２により自身のコードを入力し、ボタン表示部Ｇ１３の何れかのボタンを操作すると、勤怠データテーブル２３２に、そのユーザの勤怠データが記録される。
【００３９】
また、図９は、他の態様の勤怠登録画面Ｇ２を示す一例である。
図９に示すように、勤怠登録画面Ｇ２には、日時表示部Ｇ２１と、ユーザ選択部Ｇ２２と、ボタン表示部Ｇ２３と、が備えられている。
ユーザ選択部Ｇ２２には、各ユーザの識別情報が表示されている。識別情報とは、ユーザ名、ユーザコード等を用いることができるが、図９の例では、識別情報としてユーザ名が使用されている。
日時表示部Ｇ２１とボタン表示部Ｇ２３は、図８の日時表示部Ｇ１１とボタン表示部Ｇ１３と同一である。
勤怠登録画面Ｇ２においては、ユーザが、ユーザ選択部Ｇ２２により自身の識別情報を選択し、ボタン表示部Ｇ１３の何れかのボタンを操作すると、勤怠データテーブル２３２に、そのユーザの勤怠データが記録される。
【００４０】
また、タイムカードを出力する際には、レジ装置２０にタイムカード出力画面Ｇ３を表示して操作を行う。
【００４１】
図１０は、タイムカード出力画面Ｇ３を示す一例である。
タイムカード出力画面Ｇ３は、ユーザ表示領域Ｇ３１と、勤怠表示領域Ｇ３２と、印刷ボタンＢ１と、閉じるボタンＢ２と、を備える。
【００４２】
ユーザ表示領域Ｇ３１は、タイムカード出力画面Ｇ３の左側半分の領域に位置し、ユーザテーブル２３１に記憶されたユーザコードとユーザ名を、一覧表示させる。
また、ユーザ表示領域Ｇ３１には、ページ送りボタン群ｂ３１が表示されており、ページ送りボタン群ｂ３１を操作して、ユーザ表示領域Ｇ３１の一覧を上限にスクロールさせたり、先頭部分又は最後尾部分の表示を指定したりすることができる。
【００４３】
勤怠表示領域Ｇ３２は、タイムカード出力画面Ｇ３の右側半分の領域に位置し、ユーザ表示領域Ｇ３１において選択されたユーザの所定期間分（ここでは一か月ごと）の勤怠データを、一括表示する。
具体的に、ユーザ表示領域Ｇ３１においてユーザが選択されると、ＣＰＵ２１は、表示制御プログラム２４１に従い、サーバ装置１０に対してそのユーザの勤怠データ一覧の送信要求を行い、これに応じてサーバ装置１０から送信されてきた勤怠データ一覧を勤怠表示領域Ｇ３２に表示させる。
勤怠表示領域Ｇ３２は、ユーザコードｇ１と、ユーザ名ｇ２と、勤怠データ一覧ｇ３と、が表示されている。
また、勤怠表示領域Ｇ３２には、ページ送りボタン群ｂ３２が表示されており、ページ送りボタン群ｂ３２を操作して、勤怠データ一覧ｇ３を上限にスクロールさせたり、データの先頭部分又はデータの最後尾部分の表示を指定したりすることができる。
また、勤怠表示領域Ｇ３２には、日付切替ボタン群ｂ３３が表示されており、日付切替ボタン群ｂ３３を操作して、勤怠表示領域Ｇ３２に表示する勤怠データ一覧ｇ３の日付を切り替えることができる。
【００４４】
また、タイムカード出力画面Ｇ３において、ユーザが、勤怠表示領域Ｇ３２に任意のユーザの勤怠データ一覧を表示させ、操作部２６を介して印刷ボタンＢ１を操作すると、勤怠表示領域Ｇ３２に表示された勤怠データの一覧が、印刷部２７により印刷される。
【００４５】
図１１に、出力されたタイムカードＤ１示す一例である。
タイムカードＤ１には、ユーザコードｇ１と、ユーザ名ｇ２と、勤怠データ一覧ｇ３と、が表示されている。
図１１の例では、ユーザコードｇ１が「２」、ユーザ名ｇ２が「東京一郎」のユーザの、２０１５年１１月分の勤怠データ一覧が印刷されている。
【００４６】
以上のように、本実施の形態によれば、売上データを入力して処理するレジ装置２０において、ＣＰＵ２１は、レジ装置２０で売上データの入力が許可されるユーザを登録し、操作部２６により、少なくとも登録されたユーザの勤怠データが入力されると、ＣＰＵ２１は、複数のユーザを一覧表示するユーザ表示領域Ｇ３１と、ユーザ表示領域Ｇ３１で選択されたユーザの所定期間分の勤怠データを表示する勤怠表示領域Ｇ３２と、を表示部２５に表示させる。
このため、レジ装置２０を用いて、そのレジ装置２０を使用する複数のユーザの勤怠データを管理すると共に、個人別の所定期間分の勤怠データを一括で出力することができる。
【００４７】
また、本実施の形態によれば、ＣＰＵ２１は、印刷部２７により、表示部２５の勤怠表示領域Ｇ３２に表示されたユーザの所定期間分の勤怠データを当該ユーザの識別情報ともにレシート用紙に印刷する。
このため、レジ装置２０を用いて、そのレジ装置２０を使用するユーザ各々の所定期間分の勤怠データをレシート用紙に印刷することができる。
【００４８】
また、本実施の形態によれば、ＣＰＵ２１は、通信部２９により、勤怠データを管理するサーバ装置１０と通信ネットワークＮを介して通信し、操作部２６により入力された勤怠データを所定のタイミングでサーバ装置１０に送信するとともに、サーバ装置１０からユーザの勤怠データを受信し、受信された勤怠データを勤怠表示領域Ｇ３２に表示させる。
このため、サーバ装置１０によりレジ装置２０の入力された勤怠データを管理することができる。
【００４９】
また、本実施の形態によれば、複数のレジ装置２０と接続されるサーバ装置１０において、ＣＰＵ１１は、複数のレジ装置２０からユーザの勤怠データを取得し、取得された勤怠データをユーザ毎にマージさせ、レジ装置２０からの勤怠データの送信要求に基づいて、マージされたユーザの勤怠データを送信する。
このため、サーバ装置１０により複数のレジ装置２０から入力された勤怠データを一括して管理し、要求のあったレジ装置２０に勤怠データを送信することができる。
よって、複数のレジ装置２０のいずれで勤怠データを入力しても、勤怠表示領域Ｇ３２に、一括した勤怠データを表示させることができる。
【００５０】
なお、上記実施の形態においては、レジ装置２０がサーバ装置１０と接続されている構成を例示して説明したが、例えば、小規模店舗などにおいては、サーバ装置１０と接続されていない一つのレジ装置２０が、単独で勤怠データを管理する構成であっても良い。その場合、サーバ装置１０による勤怠データの管理や、データ処理は必要がない。
【００５１】
以上、本発明のいくつかの実施形態を説明したが、本発明の範囲は、上述の実施の形態に限定するものではなく、特許請求の範囲に記載された発明の範囲をその均等の範囲を含む。
以下に、この出願の願書に最初に添付した特許請求の範囲に記載した発明を付記する。付記に記載した請求項の項番は、この出願の願書に最初に添付した特許請求の範囲の通りである。
【００５２】
〔付記〕
＜請求項１＞
売上データを入力して処理する売上データ処理装置において、
当該売上データ処理装置で売上データの入力が許可されるユーザを登録する登録手段と、
少なくとも前記登録手段により登録されたユーザの勤怠データを入力する入力手段と、
複数のユーザを一覧表示するユーザ表示領域と、前記ユーザ表示領域で選択されたユーザの所定期間分の勤怠データを表示する勤怠表示領域と、を表示手段に表示させる表示制御手段と、
を備える売上データ処理装置。
＜請求項２＞
前記表示手段の前記勤怠表示領域に表示されたユーザの所定期間分の勤怠データを当該ユーザの識別情報ともにレシート用紙に印刷する印刷手段を備える請求項１に記載の売上データ処理装置。
＜請求項３＞
勤怠データを管理するサーバ装置と通信ネットワークを介して通信する通信手段を備え、
前記通信手段は、
前記入力手段により入力された勤怠データを所定のタイミングで前記サーバ装置に送信するとともに、前記サーバ装置からユーザの勤怠データを受信し、
前記表示制御手段は、前記通信手段により受信された勤怠データを前記勤怠表示領域に表示させることを特徴とする請求項１又は２に記載の売上データ処理装置。
＜請求項４＞
請求項３に記載の複数の売上データ処理装置と接続されるサーバ装置において、
前記複数の売上データ処理装置からユーザの勤怠データを取得する取得手段と、
前記取得手段により取得された勤怠データをユーザ毎にマージさせるデータ処理手段と、
前記売上データ処理装置からの勤怠データの送信要求に基づいて、前記データ処理手段によりマージされたユーザの勤怠データを送信する送信手段と、
を備えることを特徴とするサーバ装置。
＜請求項５＞
売上データを入力して処理する売上データ処理装置のコンピュータを、
当該売上データ処理装置で売上データの入力が許可されるユーザを登録する登録手段、
少なくとも前記登録手段により登録されたユーザの勤怠データを入力する入力手段、
複数のユーザを一覧表示するユーザ表示領域と、前記ユーザ表示領域で選択されたユーザの所定期間分の勤怠データを表示する勤怠表示領域と、を表示手段に表示させる表示制御手段、
として機能させるプログラム。
【符号の説明】
【００５３】
１００  勤怠管理システム
１０  サーバ装置
１１  ＣＰＵ（登録手段、取得手段、データ処理手段、送信手段）
１２  ＲＡＭ
１３  記憶部
１３１  取得プログラム
１３２  データ処理プログラム
１３３  送信プログラム
１３４  ユーザテーブル
１３５  勤怠データテーブル
１４  表示部
１５  操作部
１６  通信部
１７  バス
２０  レジ装置（売上データ処理装置）
２１  ＣＰＵ（表示制御手段、印刷手段、通信手段）
２２  ＲＡＭ
２３  テーブル記憶部
２３１  ユーザテーブル
２３２  勤怠データテーブル
２４  プログラム記憶部
２４１  表示制御プログラム
２４２  印刷プログラム
２４３  通信プログラム
２５  表示部（表示手段）
２６  操作部（入力手段）
２６１  タッチパネル
２７  印刷部（印刷手段）
２８  ドロア部
２９  通信部（通信手段）
３０  計時部
３１  バス
Ｇ１、Ｇ２  勤怠登録画面
Ｇ１１、Ｇ２１  日時表示部
Ｇ１２  コード入力部
Ｇ１３、Ｇ２３  ボタン表示部
Ｇ２２  ユーザ選択部
Ｇ３  タイムカード出力画面
Ｇ３１  ユーザ表示領域
Ｇ３２  勤怠表示領域
ｂ３１、ｂ３２  ボタン群
ｇ１  ユーザコード
ｇ２  ユーザ名
ｇ３  勤怠データ一覧
Ｂ１  印刷ボタン
Ｂ２  ボタン
Ｄ１  タイムカード
Ｎ  通信ネットワーク
【図１】
0006617575.tif 000002
【図２】
0006617575.tif 000003
【図３】
0006617575.tif 000004
【図４】
0006617575.tif 000005
【図５】
0006617575.tif 000006
【図６】
0006617575.tif 000007
【図７】
0006617575.tif 000008
【図８】
0006617575.tif 000009
【図９】
0006617575.tif 000010
【図１０】
0006617575.tif 000011
【図１１】
0006617575.tif 000012